(57)【要約】【課題】エラーの発生箇所が具体的にどの場所なのか容易に知ることができ、また、その回復を容易になし得る記録装置を提供する。【解決手段】プリント中に（ＳＴ１、ＳＴ２）、エラーの１つとしてジャムが検出されると（ＳＴ３、ＳＴ４）、このジャムがプリンタ部での検出の場合は（ＳＴ７）、プリンタ部のジャム発生部の実画像を矢印付きで表示部７に表示する（ＳＴ８）。また、定着部でのジャム検出の場合は、定着部のジャム発生部の実画像を矢印付きで表示部７に表示する（ＳＴ９、ＳＴ１０）。また、縦搬送部でのジャム検出の場合は、縦搬送部のジャム発生部の実画像を拡大して、表示部７に表示する（ＳＴ１１、ＳＴ１２）。【選択図】      図２
2004188625.tif 000002
【特許請求の範囲】
【請求項１】
画像記録部と、記録動作中にエラーを検出するエラー検出手段と、このエラー検出手段でエラーが検出されると、そのエラー発生箇所の実像を表示する表示部と、を備えたことを特徴とする記録装置。
【請求項２】
前記エラー発生箇所の回復に必要な箇所を矢印で表示するようにしたことを特徴とする請求項１記載の記録装置。
【請求項３】
前記エラー発生箇所の回復に必要な箇所を拡大表示するようにしたことを特徴とする請求項１又は請求項２記載の記録装置。
【発明の詳細な説明】
【０００１】
【発明の属する技術分野】
この発明は、複写装置、ファクシミリ装置、複写機能・ファクス機能などの多機能を有する複合機などの原稿等を記録する記録装置に関する。
【０００２】
【従来の技術】
一般に、複写装置、ファクシミリ装置、複合機等においては、原稿読取部で読み取った原稿、あるいは伝送されて来た原稿画像を記録部で記録（プリント）する。この種の記録時にたまたま紙詰まり（ジャム）等のエラーが生じることがある。従来、この種のエラーが発生すると、エラーセンサで検出し、表示部にエラーの種類、発生箇所を文字表示している。例えば、給紙トレイ内の紙無し等の各種動作状態の異常を検出すると、その異常状態に対応する表示項目を点滅表示させる技術（例えば、特許文献１参照）、用紙搬送路中の複数の位置に配置したジャムセンサによって、ジャム発生を検出すると、記憶部に記憶しているジャム発生履歴情報に基づいて表示部のマークの形状や点滅周期を変化させ、マークの表示位置からジャムの発生位置を把握する技術（例えば、特許文献２参照）が提案されている。
【０００３】
【特許文献１】
特開平８−２４８８３６号公報
【０００４】
【特許文献２】
特開２００２−６６８７号公報
【０００５】
【発明が解決しようとする課題】
上記した従来の複写装置、ファクシミリ装置、複合機等の記録装置では、エラーが発生すると、これを検出し、文字表示しているが、文字表示のみなので、具体的に装置のどの箇所でエラーが発生し、どのように回復すれば良いのか、一般ユーザにはわかり辛い。また、表示上でのマークの位置などで、ある程度、異常発生箇所は推定できるものの、具体的にどこの場所で異常が発生しているか、やはりわかり辛い、という問題があった。
【０００６】
この発明は上記問題点に着目してなされたものであって、エラーの発生箇所が具体的にどの場所なのか、また、その回復を容易になし得る記録装置を提供することを目的としている。
【０００７】
【課題を解決するための手段】
この発明の記録装置は、画像記録部と、記録動作中にエラーを検出するエラー検出手段と、このエラー検出手段でエラーが検出されると、そのエラー発生箇所の実像を表示する表示部と、を備えている。
【０００８】
この記録装置では、エラーが発生すると、そのエラー発生箇所の実像を表示部に表示するので、具体的にどこでエラーが発生しているかを直ちに知ることができる。ここで実像とは、エラー発生箇所の撮影像、更に実物を描いた絵図を含むものである。
【０００９】
この発明の記録装置において、前記エラー発生箇所の回復に必要な箇所を矢印で表示するようにしても良い。
【００１０】
また、この発明の記録装置において、前記エラー発生箇所の回復に必要な箇所を拡大表示するようにしても良い。
【００１１】
【発明の実施の形態】
以下、実施の形態により、この発明を更に詳細に説明する。図１に、この発明の実施形態画像通信装置全体の概略構成を示すブロック図を示す。
【００１２】
この実施形態画像通信装置は、ファクシミリ機能とコピー機能とを備えたいわゆる複合機として構成したもので、ＮＣＵ（網制御回路：Ｎｅｔｗｏｒｋ  Ｃｏｎｔｒｏｌ  Ｕｎｉｔ）１と、ＭＯＤＥＭ２と、画像メモリ３と、ＲＡＭ４と、ＲＯＭ５と、主制御部６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１３】
主制御部（ＣＰＵ）６は、この装置を構成する各部を制御する機能を有する。ＮＣＵ１は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ２は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１４】
画像メモリ３は、受信画像データや画像読取部９で読み取った画像データを一時的に記憶する。ＲＡＭ４は、データ等を一時的に記憶する。ＲＯＭ５は、この装置を制御するためのプログラムを記憶する。表示部（ＬＣＤ）７は、アイコン、キーボタンの表示や、データの送受信に必要なメッセージ内容等を表示する。また、表示部７は、プリンタ部でジャムエラー発生を示す画面（図３参照）、定着部ジャムエラー発生を示す画面（図４参照）、及び縦搬送部でジャム発生を示す画面（図５参照）を表示できる。操作部８はワンタッチキー、登録キー、ＦＡＸモード・コピーモード・スキャナモード等の複数の動作モードについてのモード切り替えを行うための動作モード切替キー、テンキー、スタートキー、その他のキーを有する。
【００１５】
画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。画像記録部１０は内部プリンタ部、定着部、縦搬送路、その他紙搬送路上の適宜の箇所にそれぞれジャムセンサを備えている。
【００１６】
ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからデータ転送の要求を受けると、画像データをＬＡＮＩ／Ｆ１２、ＬＡＮ１５を介して、外部ＰＣに転送する。
【００１７】
次に、この実施形態複合機において、読み取り原稿をコピー（記録）する場合の処理を図２に示すフロー図を参照して説明する。原稿の読み取りが終了し、この処理ルーチンに入ると、ステップＳＴ１の“プリントか”の判定がＹＥＳとなり、ステップＳＴ２へ移行する。ステップＳＴ２においては、画像記録部１０で、プリント処理を実行する。１枚のプリント処理後、ステップＳＴ３へ移行する。ステップＳＴ３においては、エラー発生か否か判定する。エラーセンサからの信号により、何らかのエラーが検出されると、判定ＹＥＳで、ステップＳＴ４へ移行する。一方、エラーが検出されていない場合は、ステップＳＴ６へ移行する。ステップＳＴ６においては、プリント完了か否か判定する。まだプリントが残存している場合には、ステップＳＴ２へ戻り、次のプリント処理を実行する。一方、プリント完了の場合は、プリント処理を終了する。
【００１８】
ステップＳＴ４においては、ジャムセンサからの信号に基づいて、ジャム検出か否か判定する。エラーがいずれかの箇所のジャム発生である場合は、ステップＳＴ７へ移行する。一方、エラーがいずれの箇所のジャム発生でもない場合は、ステップＳＴ５へ移行する。ステップＳＴ５においては、他のエラー処理を実行する。
【００１９】
ステップＳＴ７においては、プリンタ部ジャムエラーか否か判定する。ここでのプリンタ部は、用紙にプリント処理を行う箇所である。プリンタ部に設けたジャムセンサ出力が「１」の場合は、ステップＳＴ８へ移行する。一方、プリンタ部ジャムエラーでない場合は、ステップＳＴ９へ移行する。ステップＳＴ８においては、表示部７にプリンタ部ジャムエラーを表示する。その表示画面の例を図３に示している。ここでは「紙詰まりです」の文字メッセージを表示し、プリンタ部の具体的な実像を表示し、Ｒ１レバーに矢印を向ける表示をし「Ｒ１レバーを引き、カバーを開けて確認して下さい。」の文字メッセージも表示する。次に、ステップＳＴ１３へ移行する。
【００２０】
ステップＳＴ９においては、定着部ジャムエラーか否か判定する。定着部に設けたジャムセンサ出力が「１」の場合は、ステップＳＴ１０へ移行する。一方、定着部ジャムエラーでない場合は、ステップＳＴ１１へ移行する。ステップＳＴ１０においては、表示部７に定着部ジャムエラーを表示する。その表示画面の例を図４に示している。ここでは、図４の（ａ）の画面を表示する。図４の（ａ）の画面は「紙詰まりです」の文字メッセージと、プリンタ部の具体的な実像を表示し、Ｒ１レバーに矢印を向けて表示し「Ｒ１レバーを引き、カバーを開けて下さい」の文字メッセージを表示する。次に、図４の（ｂ）の画面を表示する。図４の（ｂ）の画面は「紙詰まりです」、「Ｒ２ボタンを押し、カバーを開けて下さい」の文字メッセージを表示し、Ｒ２ボタンに矢印を向けて表示する。次に、ステップＳＴ１３へ移行する。
【００２１】
ステップＳＴ１１においては、縦搬送部ジャムエラーか否か判定する。縦搬送部に設けたジャムセンサ出力が「１」の場合は、ステップＳＴ１２へ移行する。ステップＳＴ１２においては、表示部７に縦搬送部ジャムエラーを表示する。その表示画面の例を図５に示している。ここでは、図５の（ａ）の画面を先ず表示する。図５の（ａ）の画面は「紙詰まりです」の文字メッセージと、プリンタ部及び装置全体の具体的な実像を表示し、ジャム発生箇所を点滅点灯する。また「点滅箇所のカバーを開けて確認して下さい」の文字メッセージを表示する。次に、図５の（ｂ）の画面を表示する。図５の（ｂ）の画面は「紙詰まりです」、「緑のボタンを回して原稿を取り除いて下さい」の文字メッセージを表示し、カバーを開けた拡大実像を表示する。次に、ステップＳＴ１３へ移行する。
【００２２】
ステップＳＴ１３においては、エラー回復処理がなされたか否か判定し、エラー回復処理がなされた場合、ステップＳＴ１へ戻る。
【００２３】
【発明の効果】
この発明によれば、画像記録部と、記録動作中にエラーを検出するエラー検出手段と、このエラー検出手段でエラーが検出されると、そのエラー発生箇所の実像を表示する表示部と、を備えているので、エラーが発生した場合、そのエラー発生箇所の実像が表示されるので、エラーがどこで発生しているか具体的に知ることができ、エラーを容易に直ちに回復することができる。
【図面の簡単な説明】
【図１】この発明の原稿読取記録装置の一実施形態である複合機の構成を示すブロック図である。
【図２】同実施形態複合機の原稿画像のプリント処理を説明するフロー図である。
【図３】同実施形態複合機の表示部の「プリンタ部ジャムエラー」の表示画面例を示す図である。
【図４】同実施形態複合機の表示部の「定着部ジャムエラー」の表示画面例を示す図である。
【図５】同実施形態複合機の表示部の「縦搬送部ジャムエラー」の表示画面例を示す図である。
【符号の説明】
１        ＮＣＵ
２        ＭＯＤＥＭ
３        画像メモリ
４        ＲＡＭ
５        ＲＯＭ
６        主制御部
７        表示部
８        操作部
９        画像読取部
１０      画像記録部
１１      ＣＯＤＥＣ
１２      ＬＡＮＩ／Ｆ
１３      バス
【図１】
2004188625.tif 000003
【図２】
2004188625.tif 000004
【図３】
2004188625.tif 000005
【図４】
2004188625.tif 000006
【図５】
2004188625.tif 000007